(57)【特許請求の範囲】
【請求項１】
発熱線を巻装したヒーター芯が、ヒーターパイプ内に装入された熱風式半田処理装置のヒーターにおいて、
エア吹込側の前記ヒーターパイプと前記ヒーター芯との間に、複数のエア流通孔を有する整流体が設けられ、
前記整流体は、前記ヒーター芯の外周面に接触した状態で配設された複数の整流管を有し、
それぞれの前記整流管は、前記ヒーター芯の長手方向に沿うように形成された前記エア流通孔を有することを特徴とする熱風式半田処理装置のヒーター。
【請求項２】
前記複数の整流管は、隣り合う前記整流管同士が互いに接触した状態で配設されていることを特徴とする請求項１に記載の熱風式半田処理装置のヒーター。
【請求項３】
前記複数の整流管の外周面を囲うように配置され、前記複数の整流管を結束する針金を備えることを特徴とする請求項１または２に記載の熱風式半田処理装置のヒーター。
【発明の詳細な説明】
【０００１】
【発明の属する技術分野】
本発明は、熱風によって半田付け又は半田剥がし（以下、半田処理）をする熱風式半田処理装置に用いられるヒーターに関するものである。
【０００２】
【従来の技術】
熱風式半田処理装置のヒーターとして、図８と図９に示すものが知られている（特開２０００−２００６７１）。このヒーターＡは、外周面に多数の山部１ａと谷部１ｂを長手方向に沿って周方向に交互に形成した絶縁材料製のヒーター芯１に、発熱線４を山部１ａの頂点のみに接して巻装し、そのヒーター芯１をヒーターパイプ５内に装入した構造とされている。
【０００３】
なお、ヒーター芯１には、バキュームパイプ７を挿通させる挿通孔１ｃと、発熱線４の帰りの導線４ｂを通す挿通孔１ｄと、温度センサー８のセンサー線８ａ，８ｂを通す挿通孔１ｅ，１ｅ、及び規制部材（図示せず）の取付孔１ｆが形成されている。ヒーターパイプ５は、金属管５ａの中に、マイカ等の断熱管５ｂを介してセラミックや石英等のガラス管５ｃを嵌挿して成る。また、発熱線４は、偏心位置を周方向に順次ずらしてヒーター芯１に花巻きされている。発熱線４の導線４ａ，４ｂと温度センサー８のセンサー線８ａ，８ｂの必要部分は絶縁管９で被覆されている。
【０００４】
符号１１は、発熱線４の導入部と導出部の導線４ａ，４ｂを絶縁管９ごとヒーター芯１に束ねて固定している針金である。また、１２はスペーサである。
【０００５】
ヒーターＡにおいては、ヒーターパイプ５の基端部に送られてきたエアは、ヒーターパイプ５とヒーター芯１の間を通って発熱線４で加熱され、ヒーターパイプ５先端の金属板５ｄの無数の小孔５ｅから熱風となってノズルを通って外部に噴出してＩＣ等の被処理物（図示せず）を加熱する。
【０００６】
ところで、ヒーター芯１に山部１ａと谷部１ｂが形成されていないと、ヒーター芯１の外周面に対する発熱線４の接触幅が長くなってエアの流れが悪くなり、熱交換効率が低下する。
しかし、図８と図９に示したヒーターＡの場合は、発熱線４が山部１ａの頂点に点接触してヒーター芯１に巻装され、谷部１ｂをエアが滞留することなく流れるため、上記の支障はない。
【０００７】
【発明が解決しようとする課題】
ところが、上記のヒーター芯１の構造では、発熱線４を点接触させるために、多数の山部１ａと谷部１ｂ（図のものは各１６個）を形成しなければならず、コスト高になる不満がある。
【０００８】
また、エアが、ヒーター芯１と発熱線４の導入部及び導出部の針金１１による結束部分を避けて他の部分に素通りする構造となっているため、エアがヒーター芯４の全周囲に均等に流れず、したがって発熱線４の熱交換効率が低くなる欠点がある。
なお、多数の山部１ａと谷部１ｂはエアの流れに直進性を与えるが、これが逆に災いして上記結束部分へのエアの回込みが阻害されるようになり、一層熱交換効率が悪化する。
【０００９】
本発明は、上記問題点の解決を課題としており、熱交換効率が良い熱風式半田処理装置のヒーターを提供することを目的とする。
【００１０】
【課題を解決するための手段】
上記課題を解決するために、この発明は以下の手段を提案している。
本発明の熱風式半田処理装置のヒーターは、発熱線を巻装したヒーター芯が、ヒーターパイプ内に装入された熱風式半田処理装置のヒーターにおいて、エア吹込側の前記ヒーターパイプと前記ヒーター芯との間に、複数のエア流通孔を有する整流体が設けられ、前記整流体は、前記ヒーター芯の外周面に接触した状態で配設された複数の整流管を有し、それぞれの前記整流管は、前記ヒーター芯の長手方向に沿うように形成された前記エア流通孔を有することを特徴としている。
【００１２】
また、上記の熱風式半田処理装置のヒーターにおいて、前記複数の整流管は、隣り合う前記整流管同士が互いに接触した状態で配設されていることがより好ましい。
【００１５】
また、上記の熱風式半田処理装置のヒーターにおいて、前記複数の整流管の外周面を囲うように配置され、前記複数の整流管を結束する針金を備えることがより好ましい。
【００１７】
【発明の実施の形態】
発明の実施の形態を添付図面を参照して説明する。図１ないし図６は本発明に係る熱風式半田処理装置のヒーターの実施の形態を示す。このヒーターＢは、ヒーター芯２と、発熱線４と、ヒーターパイプ５及び整流体２０を備えている。
【００１８】
ヒーター芯２は絶縁材料製で、外周面に各５個の山部２ａと谷部２ｂがヒーター芯２の長手方向に沿って周方向に交互に形成され、また中心部にバキュームパイプ７を挿通させる挿通孔２ｃと、発熱線４の帰りの導線４ｂを通す挿通孔２ｄと、温度センサー８（図８参照）のセンサー線８ａ，８ｂを通す挿通孔２ｅ，２ｅ等が形成され、更に両端部に切欠溝２ｇ，２ｈが挿通孔２ｄに連通して形成されている。
【００１９】
発熱線４は、ヒーター芯２の基端部からヒーター芯２に、偏心位置を周方向に順次ずらして長円状或いはおむすび状等に花巻きされ、ヒーター芯２の先端部において帰りの導線４ｂを切欠溝２ｇから挿通孔２ｄに挿入されて基端部の切欠溝２ｈから引き出されている。発熱線４の導入側導線４ａと導出側導線４ｂとはヒーター芯２の基端部で並べられ、絶縁管９によって相互の接触を防止されている。
【００２０】
発熱線４のヒーター芯２に対する局部的な接触態様は次のいずれかである。
（イ）  互いに隣接した山部２ａ，２ａの部分において、発熱線４が１つの山部２ａの頂点と谷部２ｂの谷底に接する（図２の（イ）参照）。
（ロ）  同じく、発熱線４が谷部２ｂの谷底に接する。
（ハ）  同じく、山部２ａの頂点に接する。
【００２１】
発熱線４は、局部局部で上記（イ）、（ロ）、（ハ）のいずれかの状態となり、全体的には、山部２ａの頂点と谷部２ｂの谷底とに接してヒーター芯２に花巻きされる。
なお、発熱線４は、経時的な変形等によって、互いに隣接した山部２ａ，２ａの頂点と、その間の谷部２ｂの谷底とに接することもあり得るが、これはなるべく避けるようにする。
【００２２】
整流体２０は、ヒーター芯２とヒーターパイプ５との間に送り込まれるエアをヒーター芯２の全周囲に分散させるものであり、エア流通孔２１ａを有する複数の整流管２１（図のものは８本使用されているが、一部しか図示されていない。）をヒーター芯２の基端部の周囲に配設して成る。各種整流管２１は、発熱線４の導入導線４ａの絶縁管９及び導出導線４ｂの絶縁管９と一緒に針金１１で結束されている。
【００２３】
ヒーターパイプ５及びその他の構造は、図８及び図９のヒーターＡと同じであるので、同一の部材等に同一の符号を付してその説明を省略する。
【００２４】
次に、上記の構成とされた熱風式半田処理装置のヒーターの作用を説明する。ヒーターパイプ５の基端部に送られてきたエアは、整流管２１のエア流通孔２１ａと、整流管２１と絶縁管９の周囲の隙間を通ってヒーター芯２とヒーターパイプ５の間に流れ、発熱線４で加熱されて熱風となって外部に噴出される。
【００２５】
この場合、整流体２０の整流管２１がエアの素通りを抑え、ヒーター芯２の全周囲にエアを分散させ、また発熱線４が山部２ａの頂点と谷部２ｂの谷底に点接触してエアの滞留を防止するので、エアが効率よく発熱線４で加熱されるようになる。
【００２６】
また、山部２ａと谷部２ｂの形成数が少なく、エアの直進性が抑えられるとともに、幅広の谷底に接した発熱線４によってエアが左右に分散されるので、一層エアが効率的に加熱される。
更に、山部２ａと谷部２ｂが少なくてヒーター芯２の横断面形状が単純化されているため、製造が容易でコスト安につく。
【００２７】
図７は整流体２０の他の例を示すもので、円形状或いはＣ状等の筒体２２に多数のエア流通孔２２ａを形成して成る。作用は図６の整流体２０と同じである。
【００２８】
参考までに述べると、図のヒーター芯２の谷部２ｂの直径は、８．４ｍｍ、半円形の山部２ａの半径は、０．３ｍｍ、山部２ａの山幅Ｗａと谷部２ｂの谷幅（円弧幅）Ｗｂの比率は約１対８となっているが、これに限られるものではなく、ヒーターの太さ等に応じて適宜設計変更できることは言うまでもない。
【００２９】
山部２ａと谷部２ｂの形成数が、各２個以下では、谷部の谷底に発熱線４が長い接触幅で接触しやすくなってこれを避ける山部２ａの存在価値がなくなるので、３個以上とする。また、谷幅Ｗｂが山幅Ｗａの２倍よりも小さいと、必然的に山部２ａと谷部２ｂの形成個数が多くなり、また谷部２ｂの谷底に発熱線４を積極的に接触させることが難しくなるので、２倍以上とする。
【００３０】
図３に示したように、山部２ａをヒーター芯２の全長にわたって形成してもよいが、整流体２０を設けるのに山部２ａが邪魔になるような場合は、図６及び図７のように整流体２０の部分から山部２ａを除去する。
整流体２０はヒーター芯２に一体成形することができる。また、導線４ａ，４ｂの絶縁管９を整流体２０の部分から排除することもある。
【図面の簡単な説明】
【図１】  本発明に係る熱風式半田処理装置のヒーターの実施の形態を示す断面図である。
【図２】  ヒーター芯の正面図である。
【図３】  ヒーター芯の平面図である。
【図４】  図２の（ＩＶ−ＩＶ）部分の断面図である。
【図５】  図３の（Ｖ−Ｖ）部分の断面図である。
【図６】  整流体部分の横断面図である。
【図７】  他の整流体の例を示す横断面図である。
【図８】  従来の熱風式半田処理装置のヒーターの縦断面図である。
【図９】  同じく、横断面図である。
【符号の説明】
Ｂ  ヒーター
２  ヒーター芯
２ａ  山部
２ｂ  谷部
２ｃ，２ｄ，２ｅ  挿通孔
４  発熱線
４ａ，４ｂ  導線
５  ヒーターパイプ
５ａ  金属管
５ｂ  断熱管
５ｃ  ガラス管
７  バキュームパイプ
８  温度センサー
８ａ，８ｂ  センサー線
９  絶縁管
２０  整流体
２１  整流管
２１ａ，２２ａ  エア流通孔
２２  筒体
【図１】
0004592910.tif 000002
【図２】
0004592910.tif 000003
【図３】
0004592910.tif 000004
【図４】
0004592910.tif 000005
【図５】
0004592910.tif 000006
【図６】
0004592910.tif 000007
【図７】
0004592910.tif 000008
【図８】
0004592910.tif 000009
【図９】
0004592910.tif 000010